(57)【要約】【課題】杖スタンドのコンパクト化を図るとともに、杖挿入時は大きく開放されて挿入に便利であり、しかも持ち運びが自由であって杖使用者の足元に適宜運んで設置できるようにし、杖の先端をガイドすることによって常に一定位置を押し込むことができるようにした杖スタンドを提供することである。【解決手段】基台１は対向一対の支持壁６を有し、一対の蓋部材２が支持壁６間において相互に起立して突き合わされた閉鎖状態と、両方の蓋部材２が外方に傾斜した開放状態が取れるように揺動可能に支持され、前記揺動可能な蓋部材２の揺動支点２１はその蓋部材２の重心の位置より基台１内方に寄った位置に設定され、前記一対の蓋部材２、２の内部にカップ形の石突き受け部材３が上下動可能かつコイルばね５により上向きに付勢されて支持され、杖２６の挿入により石突き２７を押し下げるとともにその底面部に嵌合され、且つ杖２６の中間部が蓋部材２、２の上端部間で保持されて起立するようにした。【選択図】図２
2007044067.tif 000002
【特許請求の範囲】
【請求項１】
上面が開放された箱形の基台（１）と、その基台（１）に取り付けられた対向一対の蓋部材（２）と、前記蓋部材（２）の内方に収納された石突き受け部材（３）と、前記石突き受け部材（３）を上向きに付勢する弾性部材（５）からなり、前記基台（１）は対向一対の支持壁（６）を有し、前記一対の蓋部材（２）はそれぞれ前記支持壁（６）間において相互に起立して突き合わされた閉鎖状態と、少なくとも一方の蓋部材（２）が外方に傾斜した開放状態が取れるように揺動可能に前記支持壁（６）により支持され、前記揺動可能な蓋部材（２）の揺動支点（２１）はその蓋部材（２）の重心の位置より下方、かつ基台（１）内方に寄った位置に設定され、前記石突き受け部材（３）は上端開放のカップ形に形成されるとともに、前記一対の支持壁（６）との間に介在された前記弾性体（５）により上向きに付勢され、前記蓋部材（２）の開放時において前記石突き受け部材（３）が前記弾性部材（５）の付勢により上昇した状態において該蓋部材（２）の底部に接触し、前記弾性部材（５）の付勢力がこれに挿入支持される杖（２６）の自重より小さく設定され、前記杖（２６）の石突き（２７）が石突き受け部材（３）に嵌合され、且つ杖（２６）の中間部が前記蓋部材（２）の上端部間で保持されて起立するようにした杖スタンド。
【請求項２】
前記基台（１）の左右壁面（１ｂ）相互間にハンドル（４）を取り付け、前記ハンドル（４）の起立時にその一部が前記各蓋部材（２）に接触し該蓋部材（２）を閉鎖状態に保持するようにした請求項１に記載の杖スタンド。
【請求項３】
前記石突き受け部材（３）がテーパ状の周壁を有するカップ形に形成されたことを特徴とする請求項１又は２に記載の杖スタンド。
【請求項４】
前記蓋部材（２）の開放角度が一定角度に規制されたことを特徴とする請求項１から３のいずれかに記載の杖スタンド。
【発明の詳細な説明】
【技術分野】
【０００１】
この発明は、杖スタンドに関し、特に持ち運び可能な杖スタンドに関するものである。
【背景技術】
【０００２】
杖使用者が椅子に座る際等において、杖を一時的に手放す必要がある場合に、その杖を立てておく杖スタンドが従来から知られている（特許文献１）。また、円錐台形のスタンド本体の上面にテーパ状のガイド穴を有する杖先端支持穴を設けたものも知られている（特許文献２）。さらに、椅子の脚に中空パイプからなる杖スタンドを固定することも知られている（特許文献３）。
【０００３】
一方、トイレや浴場の清掃ブラシを収納保管するブラシ立てとして、ブラシを取り出した後は蓋が自重で開放状態を維持し、ブラシを収納するとブラシの自重により蓋が閉鎖されるようにしたものが従来から知られている（特許文献４）。
【特許文献１】特開２００２−２３８７２５号公報
【特許文献２】特開２００５−１１８１４０号公報
【特許文献３】特開平１１−２６６９６５号公報
【特許文献４】実公昭５１−１２４０号公報
【発明の開示】
【発明が解決しようとする課題】
【０００４】
前記の特許文献１に示された杖スタンドのように、杖を斜めに立てる形式の場合は、杖の石突きを支持する基板と杖の上端部を支持する環状支持部が必要となるため、全体の背丈が高くなりコンパクト性に欠ける問題がある。
【０００５】
また、前記特許文献２のように、杖の先端部を支持穴に挿入支持させ杖を真っ直ぐ起立させる杖スタンドの場合は、杖の安定を図るために、杖先端部が支持穴の内部にガタツキなく挿入される径に設定する必要がある。このため、支持穴の径より大きい径の杖については利用できないし、それより小さ過ぎても杖が安定しないため利用できない不便がある。また、杖スタンド自体を相当重量のある素材で形成するか、又は床面に固定する必要があり、移動ないし運搬の容易性に欠ける問題もある。
【０００６】
さらに、特許文献３に示されたものは、杖使用者は当該杖スタンドが取り付けられた椅子に座った場合は利用できるが、それが取り付けられていない椅子に座った場合は利用することができないので、杖使用者が利用できる椅子に制限を受ける不便さがある。
【０００７】
一方、特許文献４に示されたようなブラシ立ての用途を変更して杖立てとして使用することが一応考えられるが、同様の構造を杖立てとして利用した場合、杖の先端部が常に蓋の底面の一定位置に押し当てられるとは限らず、底面の端部や、ヒンジ部等に当ることもあり、また角度をもって斜めに差し込まれた場合は横滑りを生じたりすることがある。このため、蓋の閉鎖が円滑に行われず作動不良の原因になる不都合がある。
【０００８】
そこで、この発明は、杖を真っ直ぐ立てられるようにすることにより、杖スタンドのコンパクト化を図るとともに、杖挿入時は大きく開口されて挿入に便利であり、しかも持ち運びが自由であって杖使用者の足元に適宜運んで設置できるようにし、さらに杖の先端をガイドすることによって杖先端が常に一定位置を押し込むようにすることにより、蓋部材の閉鎖が円滑に行われるようにした杖スタンドを提供することを課題とする。
【課題を解決するための手段】
【０００９】
前記の課題を解消するために、この発明に係る杖スタンドは、図１に示したように、上面が開放された箱形の基台１と、その基台１に取り付けられた対向一対の蓋部材２と、前記蓋部材２の内方に収納された石突き受け部材３と、前記石突き受け部材３を上向きに付勢する弾性部材５からなる。
【００１０】
図２に示したように、前記基台１は対向一対の支持壁６を有し、前記一対の蓋部材２はそれぞれ支持壁６間において相互に起立して突き合わされた閉鎖状態と、一方又は両方の蓋部材２が外方に傾斜した開放状態が取れるように揺動可能に前記支持壁６により支持され、前記揺動可能な蓋部材２の揺動支点２１はその蓋部材２の重心の位置より基台１内方に寄った位置に設定される。
【００１１】
前記石突き受け部材３は上端開放のカップ形に形成されるとともに、前記一対の支持壁６との間に介在された前記弾性体５により上向きに付勢される。
【００１２】
前記蓋部材２の開放時において、前記石突き受け部材３は前記弾性部材５の付勢により上昇した状態において、該蓋部材２の傾斜受け面２２に接触する。また、前記弾性部材５の付勢力がこれに挿入支持される杖２６の自重より小さく設定されている。
【００１３】
前記構成の杖スタンドにおいては、図５に示したように、杖２６の石突き２７が石突き受け部材３に嵌合され、且つ杖２６の中間部が前記蓋部材２、２の上端部間で保持されて起立する。
【００１４】
なお、基台１の左右壁面１ｂ相互間にハンドル４を取り付け、前記ハンドル４の起立時にその一部が前記各蓋部材２に接触し該蓋部材２を閉鎖状態に保持するようにすることが望ましい。
【００１５】
また、前記石突き受け部材３がテーパ状の周壁を有するカップ形に形成されることが望ましい。
【００１６】
前記の杖スタンドは、使用前は蓋部材２が開放されており、開放された部分に杖先端の石突き２７を差し込むと、内部の石突き受け部材３の内部に挿入され、該石突き受け部材３が弾性体５の付勢力に対向して押し下げられる。これと同時に、その底面に接した蓋部材２が起立方向に揺動され、蓋部材２の上端で杖２６の外周を支持し、その杖２６を起立状態に保持させる。逆に、その杖２６を取り出すと、石突き受け部材３が弾性体５の付勢力により上昇し、これと同時に蓋部材２がその自重によるトルクで外方に揺動し開放される。
【００１７】
また、ハンドル４を設けた場合は、これを起立させることにより、蓋部材２を閉鎖状態に維持させることができる。また、石突き受け部材３をテーパ状の周壁を有するカップ形に形成することにより、杖２６の石突き２７が常に石突き受け部材３の底面を押圧するので蓋部材２の閉鎖が円滑に行われる。
【発明の効果】
【００１８】
この発明に係る杖スタンドは以上のようなものであるので、コンパクトであり、杖を差し込み易い効果があり、またハンドルを設けることにより持ち運びが容易にできる効果がある。さらに、杖の石突きが直接蓋部材に触れることがなく、テーパ状の周壁を有する石突き受け部材を介して蓋部材を押すので、蓋部材の作動が円滑かつ安定よく行われる。
【発明を実施するための最良の形態】
【００１９】
以下、この発明の実施形態を添付図面参照しつつ説明する。図１に示したように、実施形態の杖スタンドは、基台１、左右一対の蓋部材２、２、石突き受け部材３、ハンドル４及び一対のコイルばね（弾性部材）５、５からなる。
【００２０】
前記の基台１は、上面開放の箱形のものであり、前後方向に対向した前後壁面１ａ、１ａに上方に延び出した支持壁６、６が設けられる。また、左右に対向した左右壁面１ｂ、１ｂの外側面にヒンジピン７、７によりハンドル４が回動自在に取り付けられる。各支持壁６の内面には、上下方向のガイド溝８が設けられ、そのガイド溝８にコイルばね５が収納される。ガイド溝８の上端には、コイルばね５の係止ピン９が設けられる。また、各ガイド溝８の両側２箇所にヒンジ穴１１、１１が設けられる。基台１の内底面には金属板等による重錘１２が設置され、基台１の安定が図られている。
【００２１】
また、前記ガイド溝８の下方に上下方向のリブ１３、１３が設けられ、これらのリブ１３、１３が前記蓋部材２、２の開放時における下端部１６ａのストッパーとなり（図４参照）、蓋部材２、２の一定以上の開放が制限される。
【００２２】
前記一対の蓋部材２、２は対称形状をなし、それぞれ上下方向に立ち上がり上下両端で内方に湾曲した閉塞面１５、その閉塞面１５の両側縁に形成された両側面１６、１６の三面によって形成された舟形をなし、開放された内面相互が対向する。
【００２３】
前記閉塞面１５の上端縁中間部に半円形の凹部１７、１７が設けられ、両方の凹部１７、１７が合致することにより、円形の杖保持穴１８が形成される（図２参照）。また、各側面１６の下半分に緩やかな切り込み１９が形成され、前記ガイド溝８の部分を避けるようになっている。
【００２４】
前記の切り込み１９に接近し、且つ蓋部材２の上下方向の全長の中間点より若干下方にヒンジピン（揺動支点）２１が突設される。また、閉塞面１５の内面の下端部中央に傾斜受け面２２が設けられる。さらに、閉塞面１５の下端外面に水平方向に外向きに突き出したストッパー２３が設けられる。
【００２５】
前記の各蓋部材２は、そのほぼ下半部が基台１の内部に挿入され、両側のヒンジピン２１が基台１の両ヒンジ穴１１、１１に嵌合される。これによって、各蓋部材２は各ヒンジピン２１を中心に左右方向に揺動可能に支持され、両蓋部材２、２が起立した図２の状態で切り込み１９から上方の内端面が相互に突き合い、閉鎖状態となる。この状態でヒンジピン２１は、各蓋部材２の重心Ｗ（図２参照）の内側、かつ下方にあるようにその位置が設定されている。
【００２６】
図２に示したように、ハンドル４を起立させ、これを各蓋部材２の閉塞面１５の背面に押し当てると、蓋部材２、２は閉塞状態に維持される。ハンドル４を倒すと蓋部材２、２は自重で開放状態となる（図４参照）。
【００２７】
次に、前記の石突き受け部材３は、図１に示したように、上端が四角形に開放され周壁がテーパ状に傾斜したカップ形のものであり、前後壁面の外面に上下方向に長いスライド軸２４、２４が突設される。各スライド軸２４が前記ガイド溝８に対し上下方向にスライド可能に嵌合される。
【００２８】
また、前記各スライド軸２４上部のガイド溝８内に前記のコイルばね５が介在される。コイルばね５の上端は前記の係止ピン９に係止され、下端はスライド軸２４に係止される。このコイルばね５により、石突き受け部材３は上向きに付勢される。前記の蓋部材２、２が開放された図４の状態で石突き受け部材３は前記コイルばね５の付勢力により最も高い位置にあるが、その状態において石突き受け部材３の底面が蓋部材２、２の傾斜受け面２２、２２に接触する（図４参照）。
【００２９】
実施形態の杖スタンドは以上のようなものであり、次にその使用方法について説明する。
【００３０】
図２に示したように、ハンドル４を起立させ、そのハンドル４を蓋部材２、２の閉塞面１５、１５の背面に接触させることにより、蓋部材２、２を閉鎖状態に維持する。この状態でハンドル４を把持して自由に持ち運びすることができる。例えば、図６に示したように、杖使用者が着席する椅子２５の傍らにこれを置く。そのうえでハンドル４を倒すと、蓋部材２、２にはその自重Ｗによるトルクが作用し、外方に開放される（図４参照）。蓋部材２、２の閉塞壁１５が基台１の左右壁面１ｂに当る直前に蓋部材２、２の両側面１６の下端部１６ａ、１６ａが前記のリブ１３の両側面に当ってそれ以上の回転が規制され、最大の開放状態となる。この最大開放状態が待ち受け状態であり、その開放範囲をカバーする大きさの開口を持った石突き受け部材３がその下方に待ち構える。
【００３１】
前記の開放部を目掛けて杖２６の先端部（石突き）２７が差し込まれると、石突き２７が多少角度をもって差し込まれても石突き受け部材３のテーパのついた周壁に案内されてその底面中央部を押し下げる。石突き受け部材３がコイルばね５を伸長させながら押し下げられ、その押し下げにより各蓋部材２の傾斜受け面２２も押し下げられ、各蓋部材２を閉鎖方向に揺動させる。
【００３２】
蓋部材２、２が全閉状態になると、各蓋部材２の上端部に形成された凹部１７、１７によって円形の杖保持穴１８が形成され（図５参照）、杖２６の中間部を保持する。杖２６は下端の石突きと、中間部との２個所において支持され真っ直ぐに自立する（図５、図６参照）。この状態で各蓋部材２のストッパー２３が基台１の内面に当たり、蓋部材２を安定させる。コイルばね５の付勢力は、杖２６の自重より小さく設定されているので、使用者が杖２６から手を離しも石突き受け部材３とともに杖２６がコイルばね５の付勢力によって持ち上げられることはない。
【００３３】
杖２６を使用すべくこれを持ち上げると、前記とは逆の作用により石突き保持部材３がコイルばね５の付勢力によって持ち上げられる。これと同時に蓋部材２の傾斜受け面２２から離れるため、蓋部材２にトルクが作用して開放状態となる。
【００３４】
不使用時は手を使用して蓋部材２、２を閉じたうえで、ハンドル４を立て蓋部材２、２の閉塞面１５、１５の背面に沿わせ閉鎖状態に保持する。そのハンドル４を把持して全体を持ち上げて持ち運び杖使用者の傍らに置く。レストラン、病院の待合室、家庭のトイレ内、その他杖使用者が一時的に杖を離すような場所に常時設置したり、必要に応じてそのような場所に持ち運んだりする。
【００３５】
なお、以上の実施形態は、両方の蓋部材２、２が同時に開閉されるようになっており、広く開放されるため杖２６を差し込みやすい利点がある。しかし、一方の蓋部材２を基台１に固定し、他方の蓋部材２のみを開閉できるようにしても、所期の目的を達成することができる。
【図面の簡単な説明】
【００３６】
【図１】実施形態の分解斜視図
【図２】同上の組み立て状態の縦断正面図
【図３】（ａ）図２のＸ−Ｘ断面図、（ｂ）Ｙ−Ｙ断面図
【図４】実施形態の使用開始時の縦断正面図
【図５】同上の使用中の縦断正面図
【図６】同上の使用時の斜視図
【符号の説明】
【００３７】
１  基台
１ａ  前後壁面
１ｂ  左右壁面
２  蓋部材
３  石突き受け部材
４  ハンドル
５  コイルばね
６  支持壁
７  ヒンジピン
８  ガイド溝
９  係止ピン
１１  ヒンジ穴
１２  重錘
１３  リブ
１５  閉塞面
１６  両側面
１６ａ  下端部
１７  凹部
１８  杖保持穴
１９  切り込み
２１  ヒンジピン
２２  傾斜受け面
２３  ストッパー
２４  スライド軸
２５  椅子
２６  杖
２７  石突き
【図１】
2007044067.tif 000003
【図２】
2007044067.tif 000004
【図３】
2007044067.tif 000005
【図４】
2007044067.tif 000006
【図５】
2007044067.tif 000007
【図６】
2007044067.tif 000008